(57)【要約】      （修正有）【課題】汚れが付着しにくく、また汚れが付着しても取れやすく、外見が悪くなることなく、衛生的にもよく、さらに擦り減らず傷が付きにくく、耐久性に優れ、長期間の使用に耐えることができる線樋を提供する。【解決手段】線材を挿通する孔部１を有する軟質の挿通部本体２と、少なくともこの挿通部本体の上面２ａの一部を覆う硬質の被覆体３から構成したものとしている。すなわち、挿通部本体の上面の略全域を被覆体で覆ったものとしても、挿通部本体の上面および下面２ｂの略全域を被覆体で覆ったものとしても、挿通部本体の上面の頂部ｔを挟む左右の勾配面ｓ、ｓのそれぞれの略半域を被覆体で覆ったものとしてもよい。【選択図】図１
2006115642.tif 000002
【特許請求の範囲】
【請求項１】
線材を挿通する孔部（１）を有する軟質の挿通部本体（２）と、少なくともこの挿通部本体（２）の上面（２ａ）の一部を覆う硬質の被覆体（３）から構成したことを特徴とする線樋。
【請求項２】
前記挿通部本体（２）の上面（２ａ）の略全域を被覆体（３）で覆ったものとしたことを特徴とする請求項１記載の線樋。
【請求項３】
前記挿通部本体（２）の上面（２ａ）および下面（２ｂ）の略全域を被覆体（３）で覆ったものとしたことを特徴とする請求項１記載の線樋。
【請求項４】
前記挿通部本体（２）の上面（２ａ）の頂部（ｔ）を挟む左右の勾配面（ｓ、ｓ）のそれぞれの略半域を被覆体（３）で覆ったものとしたことを特徴とする請求項１記載の線樋。
【発明の詳細な説明】
【技術分野】
【０００１】
この発明は、家屋またはビル、一般事務所や展示会場の床面、壁面、建設現場の地面等に配線される電線、ケーブル、チューブなどの線材を保護するために使用される線樋に関するものである。
【背景技術】
【０００２】
従来、この種の線樋は、例えば図６に示したように、床や壁等への貼着側に、硬質プラスチック製の帯板部１１を有し、かつ、電線ケーブルを挿通する孔部１２を形成すると共に、帯板部１１に異質複合同時押出成形にて一体化された軟質プラスチック製の被覆部１３とを備えたものが存在する（特許文献１）。
【０００３】
このように構成された従来の線樋は、一般事務所等で大きな荷重が掛からないところで用いるのに最適であり、次のような効果を有するとしている。すなわち、踏んだときの違和感が少なく、ソフトな感じで好ましいとしている。また、床に使用したときにつまずきにくいとしている。床や壁に貼着したとき、直線上に良く維持されるとしている。リール状に巻くことが可能なため、保管に場所を取られず、かつ運搬に至便であるとしている。リール状に巻いた長尺体として、必要分だけハサミ等で簡単に切断できて、無駄な捨て材が発生しないとしている。また、ハサミ等で斜めに切断して突き合わせるだけで、所望の角度で折り曲げた線樋が容易に形成できるとしている。
【特許文献１】実開平６−２９３２８号公報（第２頁、第１１頁、図１）
【発明の開示】
【発明が解決しようとする課題】
【０００４】
しかしながら、上記従来の線樋では、帯板部１１に軟質プラスチック製の被覆部１３を備えたものとしているため、この被覆部１３に汚れが付着しやすく、また汚れが付着すると取れにくいので、汚れが目立って外見が悪くなると共に、不潔で衛生的にもよくないという問題点を有していた。
【０００５】
さらに、上記従来の線樋では、軟質プラスチック製の被覆部１３の強度が低く、この被覆部１３が擦り減ったり傷が付きやすく、耐久性に劣るため、長期間の使用には耐えることができないという問題点を有していた。
【０００６】
そこで、この発明は、上記従来の問題点を解決することをその課題としており、汚れが付着しにくく、また汚れが付着しても取れやすく、外見が悪くなることなく、衛生的にもよく、さらに擦り減らず傷が付きにくく、耐久性に優れ、長期間の使用に耐えることができる線樋を提供することを目的としてなされたものである。
【課題を解決するための手段】
【０００７】
そのため、この発明の線樋は、線材を挿通する孔部１を有する軟質の挿通部本体２と、少なくともこの挿通部本体２の上面２ａの一部を覆う硬質の被覆体３から構成したものとしている。
【０００８】
そして、この発明の線樋は、挿通部本体２の上面２ａの略全域を被覆体３で覆ったものとしている。
【０００９】
さらに、この発明の線樋は、挿通部本体２の上面２ａおよび下面２ｂの略全域を被覆体３で覆ったものとしている。
【００１０】
また、この発明の線樋は、挿通部本体２の上面２ａの頂部ｔを挟む左右の勾配面ｓ、ｓのそれぞれの略半域を被覆体３で覆ったものとしている。
【発明の効果】
【００１１】
この発明の線樋は、以上に述べたように構成されているので、汚れが付着しにくく、また汚れが付着しても取れやすく、外見が悪くなることなく、衛生的にもよく、さらに擦り減らず傷が付きにくく、耐久性に優れ、長期間の使用に耐えることができるものとなった。
【発明を実施するための最良の形態】
【００１２】
以下、この発明の線樋を実施するための最良の形態を、図面に基づいて詳細に説明する。
【００１３】
この発明の線樋は、図１〜図５に示したように、電線、ケーブル、チューブなどの線材を挿通する孔部１を有する軟質塩化ビニール樹脂、軟質ゴム等からなる長尺とした軟質の挿通部本体２と、少なくともこの挿通部本体２の上面２ａの一部を覆う、硬質塩化ビニール樹脂、硬質ゴム等からなる長尺とした硬質の被覆体３から構成したものとしている。
【００１４】
孔部１は、断面形状を楕円や長円などとしており、下部中央にはスリット４を形成している。このスリット４は、挿通部本体２が軟質であるため、開くことができ、開いた状態で孔部１内に線材を挿入してから、閉じておくことができる。
【００１５】
挿通部本体２は、低い山形状としており、上面２ａの頂部ｔの左右に緩い勾配面ｓ、ｓを有したものとし、床に敷いた場合に人が踏んでも違和感が少なく、引っ掛かりにくく、乗り越えやすいようにしている。
【００１６】
被覆体３は、硬質としているが、線樋をリール状に巻設することができる撓みを有するものとしている。この被覆体３は、厚みを薄くするほど撓みやすくなるが、あまり薄くすると強度が低くなるので、線樋の用途に応じた適当な厚みとすればよい。
【００１７】
図１および図２に示したこの発明の線樋は、挿通部本体２の上面２ａの略全域を被覆体３で覆ったものとしている。このようにすると、踏んだときなどに、被覆体３の上面３ａが汚れても、被覆体３は硬質であるため、汚れが付着しにくく、また汚れが付着しても拭くなどすれば容易に取ることができる。また、図１に示した線樋では、硬質塩化ビニール樹脂、硬質ゴム等からなる長尺の硬質の帯板体５が挿通部本体２の下面２ｂに設けられている。この帯板体５は、中央にスリット６を形成しており、このスリット６が挿通部本体２の孔部１のスリット４内に位置するようにして形成されており、スリット６も前記スリット４と同様にして開閉するようにしている。さらに、挿通部本体２の下面２ｂや帯板体５の下面５ａには、床や壁等へ貼着しておけるように、図示していないが、貼着剤を塗布したり、両面貼着テープを設けたりしておくことができる。また、これら貼着剤や両面貼着テープは、保管時などに他の個所に引っ付かないように、剥離紙で被覆しておくことができる。
【００１８】
図３に示したこの発明の線樋は、挿通部本体２の上面２ａおよび下面２ｂの略全域を被覆体３で覆ったものとしている。このようにすると、踏んだときや地面等に敷設したときなどに、被覆体３の上面３ａおよび下面３ｂが汚れても、被覆体３は硬質であるため、汚れが付着しにくく、また汚れが付着しても拭くなどすれば容易に取ることができる。なお、この被覆体３は、下面３ｂ側の中央にスリット７を形成しており、このスリット７が挿通部本体２の孔部１のスリット４内に位置するようにして形成されており、スリット７も前記スリット４と同様にして開閉するようにしている。被覆体３の下面３ｂには、床や壁等へ貼着しておけるように、図示していないが、貼着剤を塗布したり、両面貼着テープを設けたりしておくことができる。また、これら貼着剤や両面貼着テープは、保管時などに他の個所に引っ付かないように、剥離紙で被覆しておくことができる。
【００１９】
図４および図５に示したこの発明の線樋は、挿通部本体２の上面２ａの頂部ｔを挟む左右の勾配面ｓ、ｓのそれぞれの略半域を被覆体３で覆ったものとしている。このようにすると、踏んだときなどに、被覆体３の上面３ａが汚れても、被覆体３は硬質であるため、汚れが付着しにくく、また汚れが付着しても拭くなどすれば容易に取ることができる。なお、前記挿通部本体２の被覆体３で覆われていない上面２ａは、踏んだときなどにも、靴底があまり接触せず、汚れが付着しにくい個所となるので、汚れは目立たない。また、図４に示した線樋では、硬質塩化ビニール樹脂、硬質ゴム等からなる長尺の硬質の帯板体５が挿通部本体２の下面２ｂに設けられている。この帯板体５は、前記したと同様に、中央にスリット６を形成しており、このスリット６が挿通部本体２の孔部１のスリット４内に位置するようにして形成されており、スリット６も前記スリット４と同様にして開閉するようにしている。さらに、挿通部本体２の下面２ｂや帯板体５の下面５ａにも、前記したの同様に、床や壁等へ貼着しておけるように、図示していないが、貼着剤を塗布したり、両面貼着テープを設けたりしている。また、これら貼着剤や両面貼着テープは、保管時などに他の個所に引っ付かないように、剥離紙で被覆している。
【００２０】
さらに、この発明の線樋は、前記挿通部本体２と被覆体３、挿通部本体２と帯板体５、または挿通部本体２と被覆体３と帯板体５とを異質複合同時押出成形にて一体化したものとしてもよいが、それぞれを別体として押出成形し、それらを重ね合わせて貼着するなどして一体化したものとしてもよい。
【００２１】
以上のように構成したこの発明の線樋は、前記したように挿通部本体２の孔部１に、線材を挿入し、挿通部本体２の下面２ｂ、被覆体３の下面３ｂまたは帯板体５の下面５ａに塗布した貼着剤や、これらに設けた両面貼着テープに被覆した剥離紙を剥がし、一般事務所や展示会場の床面、壁面等へ貼着しておくことができる。
【００２２】
このようにすると、この発明の線樋は、従来の線樋と同様に、踏んだときの違和感が少なく、ソフトな感じで好ましく、また床に使用したときにつまずきにくく、しかも床や壁に貼着したとき、直線上に良く維持される。さらに、リール状に巻くことが可能なため、保管に場所を取られず、かつ運搬に至便であり、リール状に巻いた長尺体として、必要分だけハサミ等で簡単に切断できて、無駄な捨て材が発生しないものとなる。
【００２３】
さらに、この発明の線樋は、挿通部本体２の上面２ａの少なくとも一部を硬質の被覆体３により覆われているので、この被覆体３に汚れが付着しにくく、また汚れが付着しても取れやすく、線樋自体の外見が悪くなることなく、衛生的にもよいものとなり、さらに被覆体３が擦り減らず傷が付きにくいものとなるので、線樋自体が耐久性に優れ、長期間の使用に耐えることができるものとなる。
【図面の簡単な説明】
【００２４】
【図１】この発明の線樋の一実施形態を示しており、被覆体を少し剥がした状態を示す線樋の一部斜視図である。
【図２】この発明の線樋の他の実施形態を示す一部斜視図である。
【図３】この発明の線樋のさらに他の実施形態を示す一部斜視図である。
【図４】この発明の線樋のさらに他の実施形態を示す一部斜視図である。
【図５】この発明の線樋のさらに他の実施形態を示す一部斜視図である。
【図６】従来の線樋の断面図である。
【符号の説明】
【００２５】
１  孔部
２  挿通部本体
２ａ  上面
２ｂ  下面
３  被覆体
ｔ  頂部
ｓ  勾配面
【図１】
2006115642.tif 000003
【図２】
2006115642.tif 000004
【図３】
2006115642.tif 000005
【図４】
2006115642.tif 000006
【図５】
2006115642.tif 000007
【図６】
2006115642.tif 000008